(57)【要約】      （修正有）【課題】複数枚のソーラーパネルを簡便に一度に地面に設置することができる固定装置を提供する。【解決手段】ステンレス鋼板を支えるための支柱を含めた架台と、一定間隔で埋設するアンカーと、支柱をアンカーに固定するジョイントとからなる。【選択図】図１−１
0003180077.tif 000002
【実用新案登録請求の範囲】
【請求項１】
一定間隔で埋設してあるパイル基礎の上にソーラーパネルなどの架台を調整板を挟んで接合するために考案されたアンカーと架台を接合させるジョイント。
【請求項２】
前述の調整板は縦横ほぼ２０ｃｍで厚さ９ｍｍのステンレス鋼板の中心にアンカーと接合させるための直径２０ｍｍ長さ９０ｍｍのボルトが取り付けて有りかつ、架台を前後左右動かして固定するための幅約２０ｍｍ長さ７０ｍｍの長穴が数個開けてあることを特徴とする請求項１記載のアンカーと架台を接合させるジョイント。
【考案の詳細な説明】
【技術分野】
【０００１】  複数のソーラーパネルを大地に固定する装置に関する。
【従来技術】
【０００２】  ソーラーパネルを一枚一枚個別に大地に固定するのは部品点数が増える上かつ手間が掛かる。ソーラーパネル全体を大きな一枚の架台に載せ一括して固定する方法が良い。架台を支えるためのアンカーは架台とソーラーパネル総体の重量とアンカー１本の地耐力を考慮して本数を割り出せれば良い。
【０００３】  当社考案のアースドリル・アンカー＊）を併用すれば、地面にもみ込み、または逆回しすることで、容易に高さが調節できるので便利である。＊）実願３１６０００３
【０００４】  前後左右の位置と高さが自由に調節できる架台が求められていた。
【考案の開示】
【考案が解決しようとする課題】
【０００５】  本考案は上記問題に鑑みてなされたものであり、アンカーと架台のほかにアンカーと架台を接合させるジョイントを提供する。
【課題を解決するための手段】
【０００６】  アースドリル・アンカーを一定間隔で地面に打ち込む。【０００７】  複数のソーラーパネルを一体の架台で支える方法を提案する。
ソーラーパネル２０枚分を平面に並べて固定するための架台（縦約１０ｍ、横約５ｍ厚さ約２０ｃｍ）を用意する。【０００８】  アンカーの上に架台を乗せアンカーごとに接合ジョイント４を挟んでボルトナットで架台とアンカーを固定する。
【考案の効果】
【０００９】  本考案のアンカーと架台を接合させるジョイントによれば、複数のソーラーパネルを簡単に広い野原などに設置できる。
【技術分野】
【００１０】  ソーラーパネルの簡易な設置方法に関する。
【実施例】
【００１１】  本考案の装置を図面に基づいて説明すると図１は装置全体の様子を示す概念図で、長さ１０ｍ程で幅６ｍ高さ２０ｃｍ程の鉄またはステンレス製の架台２で、一度に数十枚のソーラーパネル３を積載することができる。
【産業上の利用の可能性】
【００１２】  以上述べてように本考案のアンカーと架台を接合させるジョイントによれば複数のソーラーパネルを簡単に大地に固定できる。
【図面の簡単な説明】
【００１３】
【図１】  装置全体を示す概念図
【図２】  アンカーと架台を接合させるためのジョイントの平面図ａと側面図ｂ
【符号の説明】
【００１４】１    アンカーパイル
２    架台
３    ソーラーパネル
４    接合ジョイント
５    長穴
６    アンカーへの固定用ボルト
【図１】
0003180077.tif 000003
【図２】
0003180077.tif 000004
0003180077.tif 000005
0003180077.tif 000006
0003180077.tif 000007
【手続補正書】
【提出日】平成24年3月12日(2012.3.12)
【手続補正１】
【補正対象書類名】実用新案登録請求の範囲
【補正対象項目名】全文
【補正方法】変更
【補正の内容】
【実用新案登録請求の範囲】
【請求項１】
一定間隔で埋設してあるアンカーの基礎の上にソーラーパネルを数十枚斜めに取り付けるために約５０ｃｍから約２０ｃｍの数本の支柱で支えられている長さ約１０ｍ幅約６ｍ厚さ約２０ｃｍのステンレス鋼板の架台で、縦横約２０ｃｍで厚さ約９ｍｍのステンレス鋼板のジョイントの中心に、アンカーと接続させるために直径約２０ｍｍ長さ約８０ｍｍのボルトが取り付けてあり、且つジョイントの縁には幅約２０ｍｍ長さ約７０ｍｍの長穴が２個開けてあり、その範囲で架台を前後に動かして固定できるようになっていることを特徴とするソーラーパネルを設置するための部材等の架台であることを、ジョイントを挟んで接合するために考案されたソーラーパネルを大地に設置する事を特徴とする架台とジョイントとアンカーからなる部材。
【請求項２】
前述のジョイントは縦横約２０ｃｍで厚さ約９ｍｍのステンレス鋼板の中心にアンカーと接合させるための直径約２０ｍｍ長さ約８０ｍｍのボルトが取り付けてあり、且つ鋼板の縁に架台を前後左右動かして固定するための幅約２０ｍｍ長さ約７０ｍｍの長穴が数個開けてあることを特徴とする請求項１記載のアンカーと架台を接合させるジョイント。
【請求項３】
アンカーの上端の横には直径約２０ｍｍ長さ約９０ｍｍのボルトが取り付けてあり、それをジョイントの長穴に差し込んで架台の位置を調節しナットで固定するようになっている事を特徴とする請求項１記載の架台とジョイントとアンカーからなる部材。
【手続補正２】
【補正対象書類名】明細書
【補正対象項目名】全文
【補正方法】変更
【補正の内容】
【考案の詳細な説明】
【技術分野】
【０００１】  複数のソーラーパネルをアンカーパイルで大地に固定する装置に関する。
【従来技術】
【０００２】  ソーラーパネルを一枚一枚個別に大地に固定するのは部品点数が増える上かつ手間が掛かる。ソーラーパネル全体を大きな一枚の架台に載せ一括して固定する方法が良い。架台を支えるためのアンカーパイルは架台とソーラーパネル総体の重量とアンカーパイル１本の地耐力を考慮して本数を割り出せれば良い。
【０００３】  当社考案のアンカーパイル＊）を併用すれば、地面にもみこみ、または逆回しすることで、容易に高さが調節できるので便利である。＊）実願３１６０００３
【０００４】  前後左右の位置と高さが自由に調節できる架台が求められていた。
【考案の開示】
【考案が解決しようとする課題】
【０００５】  本考案は上記問題に鑑みてなされたものでありアンカーパイルと架台のほかにアンカーパイルと架台を接合させるジョイントを提供する。
【課題を解決するための手段】
【０００６】  アンカーパイルを一定間隔で地面に打ち込む。【０００７】  複数のソーラーパネルを一体の架台で支える方法を提案する。ソーラーパネル約２０枚分を平面に並べて固定する為の架台を用意する。【０００８】  アンカーパイルの上に架台を乗せアンカーパイルごとに接合ジョイントを挟んでボルトナットで架台とアンカーパイルを固定する。
【考案の効果】
【０００９】  本考案のアンカーパイルと架台を接合させるジョイントによれば、複数のソーラーパネルを簡単に広い野原などに設置できる。
【実施例】
【００１０】  本考案の装置を図面に基づいて説明すると〔図１−１〕は装置全体の正面図で、長さ約１０ｍ幅約６ｍ厚さ約２０ｃｍのステンレス鋼板の架台２で、一度に数十枚のソーラーパネル３を積載することができる。〔図１−２〕は装置全体の側面図である。【００１１】  図２はアンカーパイル１を接合させる接合ジョイント４の平面図ａと側面図ｂ，ｂ’で、アンカーパイル１を架台と接合ジョイント４を一体化するために、アンカーパイル１を貫通して約８ｍｍのボルト用の穴８を開ける。アンカーパイル１への固定用ボルト６の先端にスリーブ７を取り付け、スリーブ７にはボルトを通すためにボルト用の穴８が開いている。アンカーパイル１に開いている穴とスリーブ７の穴に、頭付きボルト９を通してナット１０で固定する。接合ジョイント４の長穴５は、ソーラーパネル３を適切な位置に動かして固定するため移動できる範囲の長さが取ってある。アンカーパイル１の上端の横には直径約２０ｍｍ長さ約９０ｍｍの架台固定用のボルト１１が取り付けてあり、それを接合ジョイント４の長穴５に差し込んで架台の位置を調節しナット１０で固定するようになっている。
【産業上の利用の可能性】
【００１２】  以上述べたように本考案のアンカーパイルと架台を接合させるジョイントを使用すれば、複数のソーラーパネルを簡単に大地に固定できる。
【図面の簡単な説明】
【００１３】
【図１−１】装置全体を示す概念図の正面図
【図１−２】装置全体を示す概念図の側面図
【図２】アンカーパイルと架台を接合させるためのジョイントの平面図ａと側面図ｂ（Ａ方向より見た側面図）、ｂ’（Ｂ方向より見た側面図）
【符号の説明】
【００１４】１  アンカーパイル
２  架台
３  ソーラーパネル
４  接合ジョイント
５  長穴
６  アンカーパイルへの固定用ボルト
７  スリーブ
８  ボルト用の穴
９  頭付きボルト
１０  ナット
１１  架台固定用のボルト
【手続補正３】
【補正対象書類名】図面
【補正対象項目名】全図
【補正方法】変更
【補正の内容】
【図１−１】
0003180077.tif 000008
【図１−２】
0003180077.tif 000009
【図２】
0003180077.tif 000010
【手続補正書】
【提出日】平成24年6月20日(2012.6.20)
【手続補正１】
【補正対象書類名】実用新案登録請求の範囲
【補正対象項目名】全文
【補正方法】変更
【補正の内容】
【実用新案登録請求の範囲】
【請求項１】
ソーラーパネルを数十枚斜めに取り付けるために必要な、長さ約１０ｍ幅約６ｍ厚さ約２０ｃｍのステンレス鋼板を支えるための支柱を含めた架台と、一定間隔で埋設してあるアンカーを、支柱を固定したジョイントを挟んで接合させるために考案されたソーラーパネルを大地に設置する事を特徴とする架台とジョイントとアンカーからなる部材。
【請求項２】
請求項１で述べたジョイントは、縦横約２０ｃｍ厚さ約９ｍｍのステンレス鋼板で出来ており、ジョイントの中心にアンカーと接合させるための直径約２０ｍｍ長さ約８０ｍｍのスリーブ付きボルトが取り付けてあり、架台を取り付け固定したジョイントを、前後左右動かしてアンカーに固定するための幅約２０ｍｍ長さ約７０ｍｍの長穴がジョイントの周りに数個開けてあり、その長穴の面積の範囲内で上に載せる部材を最適な場所に移動させて固定できることを特徴とする請求項１記載の架台とジョイントとアンカーからなる部材。
【請求項３】
アンカーの上端の横には直径約２０ｍｍ長さ約９０ｍｍの架台固定用ボルトが数本取り付けてあり、それをジョイントの長穴に差し込んで架台の位置を調節しナットで固定するようになっている事を特徴とする請求項１記載の架台とジョイントとアンカーからなる部材。
【手続補正書】
【提出日】平成24年9月13日(2012.9.13)
【手続補正１】
【補正対象書類名】実用新案登録請求の範囲
【補正対象項目名】全文
【補正方法】変更
【補正の内容】
【実用新案登録請求の範囲】
【請求項１】
ソーラーパネルを数十枚斜めに取り付けるために必要な、長さ約１０ｍ幅約６ｍ厚さ約２０ｃｍのステンレス鋼板を支えるための支柱を含めた架台と、一定間隔で埋設するアンカーと、支柱をアンカーに固定するジョイントとからなる固定装置。
【請求項２】
前記ジョイントは、縦横約２０ｃｍ厚さ約９ｍｍのステンレス鋼板で出来ており、ジョイントの中心にアンカーと接合させるための直径約２０ｍｍ長さ約８０ｍｍのスリーブ付きボルトが取り付けてあり、架台を取り付け固定したジョイントを、前後左右動かしてアンカーに固定するための幅約２０ｍｍ長さ約７０ｍｍの長穴がジョイントの周りに数個開けてあり、その長穴の面積の範囲内で上に載せる部材を最適な場所に移動させて固定できることを特徴とする請求項１記載の固定装置。
【請求項３】
アンカーの上端の横には直径約２０ｍｍ長さ約９０ｍｍの架台固定用ボルトが数本取り付けてあり、それをジョイントの長穴に差し込んで架台の位置を調節しナットで固定するようになっている事を特徴とする請求項１記載の固定装置。